(57)【要約】【課題】各処理ユニットに対する通電制御の視認性を向上させることが可能な複合機を提供する。【解決手段】複合機は、メイン電源基板２０、通電切換部２６、操作パネル１０、および制御部３０を備える。メイン電源基板２０は、複数の処理ユニットに対して電力を供給するように構成される。通電切換部２６は、メイン電源基板２０と複数の処理ユニットとの間の通電状態をそれぞれ別個に切換可能に構成される。操作パネル１０は、複数の処理ユニットの通電状態を表示可能に構成される。制御部３０は、通電切換部２６を制御するとともに、操作パネル１０の表示状態を制御するように構成される。操作パネル１０は、マルチファンクションプリンタ５０を表すアイコンを表示可能に構成されており、かつ、制御部３０からの制御信号に基づいて、各処理ユニットの通電状態を示す情報をアイコンに付加して表示するように構成される。【選択図】図４
2011066816.tif 000002
【特許請求の範囲】
【請求項１】
各種の処理を実行するように構成された複数の処理ユニットを備えた複合機であって、
前記複数の処理ユニットに対して電力を供給するように構成された電源ユニットと、
前記電源ユニットと前記複数の処理ユニットとの間の通電状態をそれぞれ別個に切換可能に構成された通電切換部と、
前記複数の処理ユニットの通電状態を表示可能な表示部と、
前記通電切換部を制御するとともに、前記表示部の表示状態を制御するように構成された制御部と、
を備え、
前記表示部は、複合機を表すアイコンを表示可能に構成されており、かつ、前記制御部からの制御信号に基づいて、各処理ユニットの通電状態を示す情報を前記アイコンに付加して表示するように構成された
複合機。
【請求項２】
前記表示部は、前記複合機を表すアイコンにおける各処理ユニットに対応する位置に対するタッチ操作を検出し、タッチ操作がされた位置情報を出力するように構成されたタッチパネル部を備え、
前記制御部は、前記タッチパネル部に対する操作に応じて、前記通電切換部を制御する請求項１に記載の複合機。
【請求項３】
各処理ユニットに対する通電状態が互いに異なる複数の動作モードを備え、
前記タッチパネル部に対する操作に応じて、動作モードを切り換えるように構成された請求項２に記載の複合機。
【請求項４】
前記表示部は、前記複合機を表すアイコンにおける各処理ユニットに対応する位置に、各処理ユニットを表すアイコンを表示する請求項１〜３のいずれか１項に記載の複合機。
【請求項５】
前記表示部は、前記複合機を表すアイコンにおける各処理ユニットに対応する位置に、各処理ユニットの消費電力に関する情報を表示する請求項１〜４のいずれか１項に記載の複合機。
【発明の詳細な説明】
【技術分野】
【０００１】
本発明は、各種の処理を実行するように構成された複数の処理ユニットを備えた複合機に関する。
【背景技術】
【０００２】
複写機、プリンタ、スキャナ、ファックスなどの機能を併せ持つマルチファンクションプリンタ等の複合機は、多数の処理ユニットから構成されているため、すべての処理ユニットに対して通電を行っていると消費電力が大きくなる。このため、従来の複合機の中には、待機時間が所定時間以上になった場合に、省電力モードに移行することによって主電源ユニットから各処理ユニットに対する通電を停止し、補助電源ユニットからの通電のみによって複合機の状態を監視するように構成されるものがあった。
【０００３】
また、従来の複合機の中には、主電源をオンにした時や省電力モードを解除するときに、主制御部が省エネ制御部に対してどの処理ユニットに電源を供給すべきかを問い合わせ、その結果に基づいて各処理ユニットに対する電力供給制御がされるように構成されるものが存在する（例えば、特許文献１参照。）。
【先行技術文献】
【特許文献】
【０００４】
【特許文献１】特開２００８−１６０４１３号公報
【発明の概要】
【発明が解決しようとする課題】
【０００５】
上述の特許文献１を含む従来技術では、複合機の動作モードに応じて必要な処理ユニットに通電を行う等の工夫が為されているが、どの処理ユニットが電源オフ状態かを表示していないため、ユーザが複合機の通電状況を把握しにくいという不都合があった。
【０００６】
その結果、不要な処理ユニットが通電されていても気がつかなかったり、通電を開始しておくべき処理ユニットに対する通電が開始されていなくても気がつかなかったりすることがあった。
【０００７】
この発明は、各処理ユニットに対する通電制御の視認性を向上させることが可能な複合機を提供することである。
【課題を解決するための手段】
【０００８】
この発明に係る複合機は、各種の処理を実行するように構成された複数の処理ユニットを備える。処理ユニットの例としては、ＦＡＸ通信ユニット、カードリーダ、ＵＳＢインターフェース等のインターフェースユニット、センサユニット、プリンタユニット、後処理ユニット、スキャナユニット、記録ユニット、操作ユニット、給紙ユニット、および大容量給紙ユニット等が挙げられる。
【０００９】
この複合機は、電源ユニット、通電切換部、表示部、および制御部を備える。電源ユニットは、複数の処理ユニットに対して電力を供給するように構成される。通電切換部は、電源ユニットと複数の処理ユニットとの間の通電状態をそれぞれ別個に切換可能に構成される。表示部は、複数の処理ユニットの通電状態を表示可能に構成される。制御部は、通電切換部を制御するとともに、表示部の表示状態を制御するように構成される。
【００１０】
さらに表示部は、複合機を表すアイコンを表示可能に構成されており、かつ、制御部からの制御信号に基づいて、各処理ユニットの通電状態を示す情報をアイコンに付加して表示するように構成されている。
【００１１】
この構成においては、表示部が各処理ユニットの通電状態を示す情報を、複合機を表すアイコンに付加して表示するため、ユーザが各処理ユニットの通電状態を把握し易くなり、各処理ユニットに対する電力供給状態の視認性が向上する。
【００１２】
なお、複合機を表すアイコンに付加に付加される各処理ユニットの通電状態を示す情報は、電源供給状態が一目で把握できるように視覚的イメージによるビジュアル表示であることが好ましいが、各処理ユニットの通電状態をテキスト表示にて表示することも可能である。
【００１３】
また、各処理ユニットに対する電源供給状態とともに各処理ユニットまたは複合機全体の少なくともいずれかの消費電力値を表示するようにしても良い。
【発明の効果】
【００１４】
この発明によれば、各処理ユニットに対する通電制御の視認性を向上させることが可能になる。
【図面の簡単な説明】
【００１５】
【図１】本発明の実施形態に係るマルチファンクションプリンタの概略を示す図である。
【図２】マルチファンクションプリンタの概略を示すブロック図である。
【図３】操作パネルの構成例を示す図である。
【図４】通電状態を表示するアイコンの表示形態の例を示す図である。
【図５】通電状態を表示するアイコンの表示形態の例を示す図である。
【図６】通電状態を表示するアイコンの表示形態の例を示す図である。
【図７】通電状態を表示するアイコンの表示形態の例を示す図である。
【図８】操作パネルに対する通電制御操作の例を示す図である。
【図９】操作パネルに対する通電制御操作の例を示す図である。
【図１０】操作パネルに対する通電制御操作の例を示す図である。
【図１１】マルチファンクションプリンタにおける通電制御手順の例を示すフローチャートである。
【図１２】マルチファンクションプリンタにおける通電制御手順の例を示すフローチャートである。
【発明を実施するための形態】
【００１６】
図１は、本発明の実施形態に係るマルチファンクションプリンタ５０の概略を示す図である。マルチファンクションプリンタ５０は、外部から伝達された画像データに応じて、所定の用紙（記録用紙）に対して多色および単色の画像を形成するもので、画像形成部８２および原稿読取部５８を備えている。
【００１７】
画像形成部８２は、光走査装置８８、現像器９１、感光体ドラム９０、クリーナユニット９３、帯電器９２、中間転写ベルトユニット９５、定着ユニット７４、給紙カセット７１、第１の排紙トレイ８０、第２の排紙トレイ１００、および用紙の搬送方向を切り換えるための複数のフラッパ（図示省略）等を有して構成されている。
【００１８】
画像形成部８２の上部には、原稿が載置される透明ガラスからなる原稿載置台５４が設けられ、原稿載置台５４の上側には自動原稿処理装置５６が取り付けられている。自動原稿処理装置５６は、原稿載置台５４の上に自動で原稿を搬送する。また自動原稿処理装置５６は矢印５２の方向に回動自在に構成され、原稿載置台５４の上を開放することにより原稿を手置きで置くことができるようになっている。
【００１９】
本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器９１、感光体ドラム９０、帯電器９２、クリーナユニット９３は、各色に応じた４種類の潜像を形成するようにそれぞれ４個ずつ設けられ、それぞれブラック、シアン、マゼンタ、イエローに設定され、これらによって４つの画像ステーションが構成されている。
【００２０】
帯電器９２は、感光体ドラム９０の表面を所定の電位に均一に帯電させるための帯電手段であり、図１に示すようなチャージャ型の他、接触型のローラ型やブラシ型の帯電器が用いられることもある。
【００２１】
光走査装置８８は、入力された画像データに基づいて感光体ドラム９０の表面に静電潜像を形成するように構成される。光走査装置８８の詳細については後述する。
【００２２】
現像器９１はそれぞれの感光体ドラム９０上に形成された静電潜像を４色（ＹＭＣＫ）のトナーにより顕像化するものである。またクリーナユニット９３は、現像・画像転写後における感光体ドラム９０上の表面に残留したトナーを、除去・回収する。
【００２３】
感光体ドラム９０の上方に配置されている中間転写ベルトユニット９５は、中間転写ベルト９４、中間転写ベルト駆動ローラ８５、中間転写ベルト従動ローラ８４、中間転写ローラ９６、および中間転写ベルトクリーニングユニット８６を備えている。上記中間転写ローラ９６は、ＹＭＣＫ用の各色に対応して４本設けられている。
【００２４】
中間転写ベルト駆動ローラ８５、中間転写ベルト従動ローラ８４、および中間転写ローラ９６は、中間転写ベルト９４を張架して回転駆動させる。また各中間転写ローラ９６は、感光体ドラム９０のトナー像を、中間転写ベルト９４上に転写するための転写バイアスを与える。
【００２５】
中間転写ベルト９４は、各感光体ドラム９０に接触するように設けられている、そして、感光体ドラム９０に形成された各色のトナー像を中間転写ベルト９４に順次的に重ねて転写することによって、中間転写ベルト９４上にカラーのトナー像（多色トナー像）を形成する機能を有している。中間転写ベルト９４は、例えば厚さ１００μｍ〜１５０μｍ程度のフィルムを用いて無端状に形成されている。
【００２６】
感光体ドラム９０から中間転写ベルト９４へのトナー像の転写は、中間転写ベルト９４の裏側に接触している中間転写ローラ９６によって行われる。中間転写ローラ９６には、トナー像を転写するために高電圧の転写バイアス（トナーの帯電極性（−）とは逆極性（＋）の高電圧）が印加されている。中間転写ローラ９６は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト９４に対して均一に高電圧を印加することができる。本実施形態では転写電極としてローラ形状を使用しているが、それ以外にブラシなども用いることが可能である。
【００２７】
上述の様に各感光体ドラム９０上で各色相に応じて顕像化された静電像は中間転写ベルト９４で積層される。このように、積層された画像情報は中間転写ベルト９４の回転によって、後述の用紙と中間転写ベルト９４の接触位置に配置される転写ローラ８７によって用紙上に転写される。
【００２８】
このとき、中間転写ベルト９４と転写ローラ８７は所定ニップで圧接されると共に、転写ローラ８７にはトナーを用紙に転写させるための電圧が印加される（トナーの帯電極性（−）とは逆極性（＋）の高電圧）。さらに、転写ローラ８７は上記ニップを定常的に得るために、転写ローラ８７もしくは前記中間転写ベルト駆動ローラ８５の何れか一方を硬質材料（金属等）とし、他方を弾性ローラ等の軟質材料（弾性ゴムローラ、または発泡性樹脂ローラ等々）が用いられる。
【００２９】
また、上記のように、感光体ドラム９０に接触することにより中間転写ベルト９４に付着したトナー、もしくは転写ローラ８７によって用紙上に転写が行われず中間転写ベルト９４上に残存したトナーは、次工程でトナーの混色を発生させる原因となるために、中間転写ベルトクリーニングユニット８６によって除去・回収されるように設定されている。中間転写ベルトクリーニングユニット８６には、中間転写ベルト９４に接触する例えばクリーニング部材としてクリーニングブレードが備えられており、クリーニングブレードが接触する中間転写ベルト９４は、裏側から中間転写ベルト従動ローラ８４で支持されている。
【００３０】
給紙カセット７１は、画像形成に使用する用紙（記録用紙）を蓄積しておくためのトレイであり、画像形成部８２の光走査装置８８の下側に設けられている。また手差し給紙カセット７８にも画像形成に使用する用紙を置くことができる。
【００３１】
なお、第１の排紙トレイ８０は、画像形成部８２の上方に設けられており、印刷済みの用紙をフェイスダウンで集積するように構成される。一方で、第２の排紙トレイ１００は、マルチファンクションプリンタ５０の筐体の外側に配置されており、印刷済みの用紙をフェイスアップで集積するように構成される。
【００３２】
また画像形成部８２には、給紙カセット７１および手差し給紙カセット７８の用紙を転写ローラ８７や定着ユニット７４を経由させて第１の排紙トレイ８０または第２の排紙トレイ１００に送るための、略垂直形状の用紙搬送路７７が設けられている。給紙カセット７１ないし手差し給紙カセット７８から第１の排紙トレイ８０および第２の排紙トレイ１００までの用紙搬送路７７の近傍には、ピックアップローラ７３，７５、複数の搬送ローラ６２，６４，６６，６８、レジストローラ７９、転写ローラ８７、定着ユニット７４等が配されている。
【００３３】
搬送ローラ６２，６４，６６，６８は、用紙の搬送を促進・補助するための小型のローラであり、用紙搬送路７７に沿って複数設けられている。またピックアップローラ７３は、給紙カセット７１の端部近傍に備えられ、給紙カセット７１から用紙を１枚ずつピックアップして用紙搬送路７７に供給する。同様にまたピックアップローラ７５は、手差し給紙カセット７８の端部近傍に備えられ、手差し給紙カセット７８から用紙を１枚ずつピックアップして用紙搬送路７７に供給する。
【００３４】
また、レジストローラ７９は、用紙搬送路７７を搬送されている用紙を一旦保持するものである。そして、感光体ドラム９０上のトナー像の先端と用紙の先端を合わせるタイミングで用紙を転写ローラ８７に搬送する機能を有している。
【００３５】
定着ユニット７４は、ヒートローラ７２および加圧ローラ７６を備えており、ヒートローラ７２および加圧ローラ７６は、用紙を挟んで回転するようになっている。またヒートローラ７２は、図示しない温度検出器からの信号に基づいて制御部によって所定の定着温度となるように設定されており、加圧ローラ７６とともにトナーを用紙に熱圧着することにより、用紙に転写された多色トナー像を溶融・混合・圧接し、用紙に対して熱定着させる機能を有している。またヒートローラ７２を外部から加熱するための外部加熱ベルト７０が設けられている。
【００３６】
次に用紙搬送経路を詳細に説明する。上述のように、画像形成装置には予め用紙を収納する給紙カセット７１、および手差し給紙カセット７８が設けられている。これら給紙カセット７１，７８から用紙を給紙するために、各々ピックアップローラ７３，７５が配置され、用紙を１枚ずつ搬送路７７に導くようになっている。
【００３７】
各給紙カセット７１，７８から搬送される用紙は用紙搬送路７７の搬送ローラ６２によってレジストローラ７９まで搬送され、用紙の先端と中間転写ベルト９４上の画像情報の先端を整合するタイミングで転写ローラ８７に搬送され、用紙上に画像情報が書き込まれる。その後、用紙は定着ユニット７４を通過することによって用紙上の未定着トナーが熱で溶融・固着され、その後に配された搬送ローラ６８を経て第１の排紙トレイ８０または第２の排紙トレイ１００上に排出される。
【００３８】
上記の搬送経路は、用紙に対する片面印字要求のときのものであるが、これに対して両面印字要求の時は、上記のように片面印字が終了し定着ユニット７４を通過した用紙の後端が最終の搬送ローラ６８で把持されたときに、搬送ローラ６８が逆回転することによって用紙を搬送ローラ６６，６４に導く。そしてその後レジストローラ７９を経て用紙裏面に印字が行われた後に用紙が第１の排紙トレイ８０に排出される。
【００３９】
図２は、マルチファンクションプリンタ５０の概略構成を示す図である。マルチファンクションプリンタ５０は、通常動作モード時の電力供給源となるメイン電源基板２０、スリープモード時の電力供給源となるサブ電源基板２２、および制御部３０を備えている。
【００４０】
制御部３０は、ＲＯＭ３３、ＲＡＭ３４、電源制御部３２、画像処理基板３５、およびＣＰＵ３１を備える。ＲＯＭ３３は、マルチファンクションプリンタ５０の動作に必要な複数のプログラムを格納する。ＲＡＭ３４は、ＣＰＵ３１が直接アクセス可能であり、一時的に必要なデータの格納を行うための揮発性メモリである。電源制御部３２は、サブ電源基板２２からの電力によって動作し、マルチファンクションプリンタ５０の各処理ユニットに対する電力供給制御を行うように構成される。画像処理基板３５は、入力された画像データに対して定められた手順にて画像処理を実行するように構成される。ＣＰＵ３１は、ＲＯＭ３３から読み出したプログラムに基づいてマルチファンクションプリンタ５０の各部を統括的に制御するように構成される。
【００４１】
制御部３０には、原稿読取部５８、画像形成部８２、給紙カセット７１、インターフェース部４０、記憶部２４、および操作パネル１０が接続される。この実施形態では、これらの原稿読取部５８、画像形成部８２、給紙カセット７１、インターフェース部４０、記憶部２４、操作パネル１０、および上述の画像処理基板３５が本発明の処理ユニットに対応する。
【００４２】
インターフェース部４０は、外部機器との通信を行うための機能を有している。この実施形態では、インターフェース部４０は、ファックス通信部、ＵＳＢデバイス接続部、およびＬＡＮ接続部が設けられている。記憶部２４は、大量の画像データ等を格納可能なハードディスクドライブを備えている。
【００４３】
操作パネル１０は、図３に示すように、表示部１２および操作部１４を備える。表示部１２は、ユーザに提示すべき情報（特に、各処理ユニットの通電状態）を表示するように構成された液晶ディスプレイ１２０を備える。液晶ディスプレイ１２０は、複合機５０を表すアイコンを表示可能に構成されており、かつ、制御部３０からの制御信号に基づいて、各処理ユニットの通電状態を示す情報を複合機５０のアイコンに付加して表示するように構成されている。また、この実施形態では、液晶ディスプレイ１２０には、複合機５０を表すアイコンを含む領域に配置され、アイコンに対して為されたタッチ操作を検出して、操作がされた位置情報を制御部３０に対して出力するように構成されたタッチパネル部が採用されている。ただし、このようなタッチパネル部を液晶ディスプレイ１２０に設けることは任意的構成であり、本発明を実施するにあたって必ずしも必要となる構成ではない。
【００４４】
操作部１４は、スリープモードへの移行を指示するための省エネパネルキー１４２を含む複数のタッチパネルキーを有するパネル部１４４と、テンキー等の複数の操作キーを有する操作キー群１４６とを備える。
【００４５】
上述の画像処理基板３５、原稿読取部５８、画像形成部８２、給紙カセット７１、インターフェース部４０、記憶部２４、および操作パネル１０は、通電切換部２６を介してメイン電源基板２０に接続される。通電切換部２６は、メイン電源基板２０からの供給電源を選択的に通電状態または非通電状態にスイッチするための複数のＦＥＴ基板２６１〜２６６を備えている。電源制御部３２からの制御信号に基づいてＦＥＴ基板２６１〜２６６のオン／オフが切り換えられることによって、メイン電源基板２０から画像処理基板３５、原稿読取部５８、画像形成部８２、給紙カセット７１、インターフェース部４０、記憶部２４、および操作パネル１０に対する電力供給が制御される。
【００４６】
ここで、図４〜図７を用いて、液晶ディスプレイ１２０に表示される表示画面（特に、処理ユニットの通電状態を示す情報および複合機５０のアイコンに関するもの。）について説明する。
【００４７】
図４（Ａ）は、処理ユニットのすべてに通電を行う通常動作モード時におけるアイコンの状態を示しており、図４（Ｂ）は、外部からの入力信号を受信するインターフェース以外の処理ユニットに対する通電を停止するスリープモード時におけるアイコンの状態を示している。
【００４８】
図４（Ａ）および図４（Ｂ）に示すように、ここでは複合機５０のアイコンにおける各処理ユニットに対応する箇所を、通電状態であれば明るく表示する一方で、非通電状態であれば暗く表示している。また、この実施形態では、複合機５０を表すアイコンにおける各処理ユニットに対応する位置に、さらに各処理ユニットを表すアイコンを表示することによって各処理ユニットの機能が一目で把握できるような工夫が為されている。さらには、図４（Ａ）および図４（Ｂ）に示すように、複合機５０のアイコンにおける各処理ユニットに対応する箇所に、消費電力が何ワット（Ｗ）なのかを示す情報も付加されている。
【００４９】
以上のように液晶ディスプレイ１２０の表示によって、複合機５０が通常動作モードおよびスリープモードのいずれであるのかが一目で把握することが可能であるが、液晶ディスプレイ１２０の表示のバリエーションには複合機５０がその他の動作モードであることを示す表示形態も含まれている。
【００５０】
例えば、図５（Ａ）は、原稿読取部５８が原稿を読み取って記憶部２４に記録する作業を実行する「ＳＣＡＮ  ｔｏ  ＨＤＤ」モード時のアイコンを示している。このアイコンにより、原稿の画像データを読み取って直接的に記録部２４に保存する作業に関連しない画像形成部８２および給紙カセット７１等の処理ユニットには通電がされていないことが一目で把握できる。
【００５１】
図５（Ｂ）は、コピーを実行時のアイコンを示している。このアイコンにより、複合機５０のすべての処理ユニットに通電が行われていることが一目で把握できる。また、図５（Ｃ）は、原稿読取部５８が原稿を読み取ってインターフェース部４０に接続されたＵＳＢメモリに記憶部２４に記録する作業を実行時のアイコンを示している。このアイコンにより、この動作モードにおいては、記録部２４に対する通電が停止されることが把握できる。
【００５２】
図６（Ａ）は、余熱モード時におけるアイコンを示している。例えば、図５（Ｃ）で示した「ＳＣＡＮ  ｔｏ  ＵＳＢメモリ」モードでは、通常、画像形成部８２は非通電状態にされるが、続けて読み取った画像の印刷を予定しているのであれば、操作パネル１０のタッチパネル部を通して予め画像形成部８２（特に定着ユニット）を余熱させておくことが好ましい。複合機５０では、このようなニーズに対応するために余熱モードが設けられており、液晶ディスプレイ１２０にも余熱モード中であることを示すアイコンを表示するようにしている。余熱モード中には、アイコンにおける画像形成部８２に対応する位置がグレー表示にされることによって、画像形成部８２が現在余熱中であることが示される。なお、余熱が完了した後には、アイコンにおける画像形成部８２に対応する位置を、通常の通電状態と同様の表示に変更するようにしても良い。
【００５３】
図６（Ｂ）は、ユーザがマニュアル操作にて原稿読取部５８に対する通電を停止させた状態のアイコンを示している。コピーやスキャン作業を行う頻度が極めて低く、専ら複合機をプリンタとして使用するユーザであれば、このようなマニュアル操作によって消費電力の削減を図ることが可能になる。図６（Ｃ）は、ユーザがマニュアル操作にてファックス受信機能以外の機能をする処理ユニットに対する通電を停止させた状態のアイコンを示している。
【００５４】
さらに図７（Ａ）では、操作パネル１０以外のすべての処理ユニットに対する通電を停止させた状態のアイコンを示している。そして、図７（Ｂ）では、プリント処理を実行時のアイコンを示しており、図７（Ｃ）では、ファックス受信時のアイコンを示している。
【００５５】
続いて、図８〜図１０を用いて、液晶ディスプレイ１２０のタッチパネル部を利用した通電制御を行う例を説明する。複合機５０では、アイコンにおける各処理ユニットに対応する位置に対するタッチ操作によって、各処理ユニットへの通電のオン／オフを直接切り換えることが可能になるようにされている。例えば、図８（Ａ）に示すように、スリープモード時にアイコンにおける画像読取部５８および記憶部２４に対応する位置をタッチすることにより、画像読取部５８および記憶部２４に通電を開始させて、図８（Ｂ）に示すように「ＳＣＡＮ  ｔｏ  ＨＤＤ」モードに移行することが可能となる。
【００５６】
また、図９（Ａ）に示すように、スリープモード時にアイコンにおける画像読取部５８およびＵＳＢインターフェースに対応する位置をタッチすることにより、画像読取部５８およびＵＳＢインターフェースに通電を開始させて、図９（Ｂ）に示すように「ＳＣＡＮ  ｔｏ  ＵＳＢデバイス」モードに移行することが可能となる。
【００５７】
さらには、図１０（Ａ）に示すように、スリープモード時にアイコンにおける画像読取部５８および画像形成部８２に対応する位置をタッチすることにより、画像読取部５８および画像形成部８２に通電を開始させて、図１０（Ｂ）に示すように「コピー」モードに移行することが可能となる。
【００５８】
続いて、図１１および図１２を用いてマルチファンクションプリンタ５０の電力供給制御の手順を説明する。複合機５０の主電源がオンになり起動している状態では、制御部３０は、ジョブの入力（操作パネル１０に対する設定操作等も含む）がされるか否かを監視している（Ｓ１）。Ｓ１の監視ステップにてジョブの入力がされた場合には、制御部３０は入力されたコマンドに基づいてジョブの実行を行う（Ｓ７）。
【００５９】
一方で、ジョブの入力がされない場合には、制御部３０は、操作パネル１０に対して通電設定操作がされたか否かを判断する（Ｓ２）。Ｓ２の判断ステップにおいて、通電設定操作がされない場合には、制御部３０は待機時間が所定時間以上になっているか否かを判断し（Ｓ３）、待機時間が所定時間以上になっている場合には制御部３０は複合機５０をスリープモードに移行させる（Ｓ８）。これに対して、Ｓ２の判断ステップにおいて、通電設定操作がされた場合には、制御部３０はその通電設定操作がスリープモードへの移行を指示するものであるか否かを判断する（Ｓ４）。
【００６０】
Ｓ４の判断ステップにおいて、通電設定操作がスリープモードへの移行を指示するものである場合には、制御部３０は複合機５０をスリープモードに移行させる（Ｓ８）。一方で、通電設定操作がスリープモードへの移行を指示するものではなく、各処理ユニットの通電状態を変更させるものである場合には、制御部３０は、ユーザの指定に基づいて通電状態変更処理を実行し（Ｓ５）、変更後の通電状態を示すアイコンを液晶ディスプレイ１２０に表示させる（Ｓ６）。
【００６１】
Ｓ８のスリープモード移行ステップにおいては、制御部３０が電源制御部３２を介して通電切換部２６を制御することによって、各処理ユニットに対する通電を停止する。そして、スリープモードであることを示すアイコンを液晶ディスプレイ１２０に表示させる（Ｓ９）。
【００６２】
複合機５０がスリープモードに移行した後、制御部３０は復帰トリガとなるジョブの入力があるか否かを常時監視している（Ｓ１１）。Ｓ１１の監視ステップにおいて、ジョブの入力がされた場合には、制御部３０は入力されたジョブの実行に係る処理ユニットに対する通電を開始し（Ｓ１２）、通電状態の変更を反映したアイコンを液晶ディスプレイ１２０に表示させる（Ｓ１３）。その後、ジョブを実行し（Ｓ７）、その後はＳ１の判断ステップに移行し、上述と同様の処理が実行される。一方で、Ｓ１１の監視ステップにおいて、ジョブの入力がされない場合には、制御部３０は、省エネ解除操作がされたか否かを監視する（Ｓ１４）。
【００６３】
Ｓ１４の監視ステップにおいて、省エネ解除キー等によって省エネ解除操作がされた場合には、制御部３０は全部の処理ユニットに対する通電を開始し（Ｓ１５）、通電状態の変更を反映したアイコンを液晶ディスプレイ１２０に表示させる（Ｓ１６）。なお、その後は、Ｓ１の判断ステップに移行し、上述と同様の処理が実行される。これに対して、Ｓ１４の監視ステップにおいて、省エネ解除操作がされない場合には、図８〜図１０にて示したような通電すべき処理ユニットを指定する操作がされるか否かを監視する（Ｓ１７）。
【００６４】
Ｓ１７の監視ステップにおいて、通電すべき処理ユニットを指定する操作がされた場合には、制御部３０は、その操作内容に基づいて通電すべき処理ユニットに対する通電を開始し（Ｓ１９）、通電状態の変更を反映したアイコンを液晶ディスプレイ１２０に表示させる（Ｓ２０）。なお、その後は、Ｓ１の判断ステップに移行し、上述と同様の処理が実行される。
【００６５】
Ｓ１７の監視ステップにおいて、通電すべき処理ユニットを指定する操作がされない場合には、制御部３０は、さらなる節電を指定する操作がされるか否かを監視する（Ｓ１８）。例えば、この実施形態では、Ｓ１８の監視ステップにおいて、すべてのインターフェースをオフにしたり、ファックス受信機能以外の機能をオフにしたりする指示が為されるか否かを監視している。
【００６６】
Ｓ１８の監視ステップにて、さらなる節電を指定する操作がされた場合には、制御部３０は、指示に基づいて通電状態を変更し（Ｓ２１）、変更後の通電状態を示すアイコンを液晶ディスプレイ１２０に表示させ（Ｓ２２）、再びＳ１１の監視ステップに移行する。また、Ｓ１８の監視ステップにて、さらなる節電を指定する操作がされない場合には、Ｓ１１の監視ステップに移行し、上述と同様の処理を実行する。
【００６７】
以上の実施形態によれば、ユーザが操作パネル１０を通じて各処理ユニットの通電切換を行うことが可能になるとともに、操作パネル１０を通じて複合機５０の通電状態を一目で把握することが可能になる。このため、複合機５０の各処理ユニットに対する通電制御の操作性および視認性を向上させることが可能になる。
【００６８】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００６９】
１０−操作パネル
２０−メイン電源基板
２２−サブ電源基板
２６−通電切換部
３０−制御部
３２−電源制御部
４０−インターフェース部
５０−マルチファンクションプリンタ
２６１〜２６６−ＦＥＴ基板
【図１】
2011066816.tif 000003
【図２】
2011066816.tif 000004
【図３】
2011066816.tif 000005
【図４】
2011066816.tif 000006
【図５】
2011066816.tif 000007
【図６】
2011066816.tif 000008
【図７】
2011066816.tif 000009
【図８】
2011066816.tif 000010
【図９】
2011066816.tif 000011
【図１０】
2011066816.tif 000012
【図１１】
2011066816.tif 000013
【図１２】
2011066816.tif 000014